(57)【要約】【課題】  本発明の課題は、容器の回転ムラを防止できると共に接触部の寿命を長くでき、更には容器と接触部との接触位置の調整を不要にできる被膜形成装置及び粉砕装置を提供することである。【解決手段】  モータ３と、モータ３の出力軸５と、出力軸５に交差して設けられたアーム７と、アーム７に揺動自在に吊下げられた揺動軸１５と、揺動軸１５に回転自在に設けられた容器９と、出力軸５の回転方向に沿って円環状に設けられた接触部１０とを備え、容器９には基材４及び粉末６を収納しており、出力軸５の回転で容器９に生じる遠心力により容器９の公転半径が広がって容器外側面９ａが接触部１０に摩擦接触し、容器９が公転及び自転することにより、容器内の粉末６が衝突と摺擦を繰り返して基材４の表面に被膜を形成している。【選択図】      図１
2007038156.tif 000002
【特許請求の範囲】
【請求項１】
モータと、モータの出力軸と、出力軸に交差して設けられたアームと、アームに揺動自在に吊下げられた揺動軸と、揺動軸に回転自在に設けられた容器と、出力軸の回転方向に沿って円環状に設けられた接触部とを備え、容器には基材及び粉末を収納しており、出力軸の回転で容器に生じる遠心力により容器の公転半径が広がって容器外側面が接触部に摩擦接触し、容器が公転及び自転することにより、容器内の粉末が衝突と摺擦を繰り返して基材の表面に被膜を形成することを特徴とする被膜形成装置。
【請求項２】
容器は容器本体と、揺動軸に取り付けた容器ホルダとを備え、容器本体及び容器ホルダにはねじ部が形成されており、容器本体の口部をホルダ内にねじ込むことによって容器本体を容器ホルダに固定していることを特徴とする請求項１に記載の被膜形成装置。
【請求項３】
モータと、モータに固定された出力軸と、出力軸に交差して設けられたアームと、アームに揺動自在に吊下げられた揺動軸と、揺動軸に回転自在に設けられた容器と、出力軸の回転方向に沿って円環状に設けられた接触部とを備え、容器には被処理物及び被処理物を粉砕する粉砕部材を収納しており、出力軸の回転で容器に生じる遠心力により容器の公転半径が広がって容器外側面が接触部に摩擦接触し、容器が公転及び自転することにより、容器内の被処理物が粉砕されることを特徴とする粉砕装置。
【請求項４】
容器は容器本体と、揺動軸に取り付けた容器ホルダとを備え、容器本体及び容器ホルダにはねじ部が形成されており、容器本体の口部をホルダ内にねじ込むことによって容器本体を容器ホルダに固定していることを特徴とする請求項３に記載の粉砕装置。
【発明の詳細な説明】
【技術分野】
【０００１】
本発明は、被膜形成装置及び粉砕装置に関する。
【背景技術】
【０００２】
特許文献１には、粉砕装置において、出力軸に交差して設けたアームと、アームに回転自在に取り付けられ且つ被処理物及び被処理物を粉砕する粉砕部材とを収容した容器と、円環状に設けた接触部とを備え、アームの回転により容器を接触部に摩擦接触させて容器を公転及び自転させて、容器内の被処理物を粉砕する技術が開示されている。
【０００３】
【特許文献１】特開平８−３３２３６７号公報
【発明の開示】
【発明が解決しようとする課題】
【０００４】
しかし、特許文献１に記載の従来技術では、容器が接触部に対して同じ位置で常時接触させてあるため、容器の接触摩擦によって接触部が磨耗すると、容器の外側面と接触部との間の接触圧が不安定になり、容器に回転ムラが生じるという問題があった。また、接触部が磨耗するとすぐに接触部を交換する必要があり、寿命が短いという問題があった。
【０００５】
更に、容器の軸をアームに固定して容器の外側面を接触部に当接させているので、容器の外側面と接触部との接触位置の調整が難しい（精度が要求される）という問題があった。
【０００６】
本発明は、容器の回転ムラを防止できると共に接触部の寿命を長くでき、更には容器と接触部との接触位置の調整を不要にできる被膜形成装置及び粉砕装置を提供することを目的としている。
【課題を解決するための手段】
【０００７】
前記課題を解決するために、請求項１に記載された発明は、モータと、モータの出力軸と、出力軸に交差して設けられたアームと、アームに揺動自在に吊下げられた揺動軸と、揺動軸に回転自在に設けられた容器と、出力軸の回転方向に沿って円環状に設けられた接触部とを備え、容器には基材及び粉末を収納しており、出力軸の回転で容器に生じる遠心力により容器の公転半径が広がって容器外側面が接触部に摩擦接触し、容器が公転及び自転することにより、容器内の粉末が衝突と摺擦を繰り返して基材の表面に被膜を形成することを特徴とする。
【０００８】
請求項２に記載された発明は、請求項１に記載の発明において、容器は容器本体と、揺動軸に取り付けた容器ホルダとを備え、容器本体及び容器ホルダにはねじ部が形成されており、容器本体の口部をホルダ内にねじ込むことによって容器本体を容器ホルダに固定していることを特徴とする。
【０００９】
請求項３に記載された発明は、モータと、モータに固定された出力軸と、出力軸に交差して設けられたアームと、アームに揺動自在に吊下げられた揺動軸と、揺動軸に回転自在に設けられた容器と、出力軸の回転方向に沿って円環状に設けられた接触部とを備え、容器には被処理物及び被処理物を粉砕する粉砕部材を収納しており、出力軸の回転で容器に生じる遠心力により容器の公転半径が広がって容器外側面が接触部に摩擦接触し、容器が公転及び自転することにより、容器内の被処理物が粉砕されることを特徴とする。
【００１０】
請求項４に記載された発明は、請求項３に記載の発明において、容器は容器本体と、揺動軸に取り付けた容器ホルダとを備え、容器本体及び容器ホルダにはねじ部が形成されており、容器本体の口部をホルダ内にねじ込むことによって容器本体を容器ホルダに固定していることを特徴とする。
【発明の効果】
【００１１】
請求項１に記載の発明によれば、被膜の形成時において、モータの駆動により出力軸が回転すると、出力軸に取り付けられたアームが出力軸回りに回転する。アームが回転するとアームに取り付けた容器が遠心力によって容器の公転半径が広がり、容器の外側面が接触部に接触する。容器が接触部に摩擦接触すると容器は自転し、容器が公転運動と自転運動することによって容器内の粉末が衝突と摺擦を繰り返し、粉末は基材の表面に圧着して被膜が形成される。
【００１２】
出力軸の回転により容器に生じる遠心力により容器の公転半径が広がるので、接触部が磨耗しても、容器外側面と接触部との接触を保持でき、容器外側面と接触部との間の接触圧が不安定になり難い。よって、容器の回転ムラを防止できる。
【００１３】
また、容器はアームに揺動自在に吊下げられているので、従来技術のように容器の外側面と接触部との接触位置の調整が不要である。
【００１４】
出力軸の回転により容器に生じる遠心力により容器の公転半径が広がるので、接触部が多少磨耗しても、すぐに交換せずに接触部を使用し続けることができ、接触部の寿命を長くできる。
【００１５】
請求項２に記載の発明によれば、請求項１に記載の発明と同様の効果を奏すると共に、容器本体の口部をねじ込みによりホルダ内に固定するので、容器をアームに吊下げる際に、容器本体とホルダとを接続具を用いて接続する必要がなく、接続作業が容易である。
【００１６】
請求項３に記載の発明によれば、粉砕処理において、モータの駆動により出力軸が回転すると、出力軸に取り付けられたアームが出力軸回りに回転する。アームが回転するとアームに取り付けた容器が遠心力によって公転半径が広がり、容器の外側面が接触部に接触する。容器が接触部に摩擦接触すると容器は自転し、容器が公転運動と自転運動することによって容器内の被処理物が衝突と摺擦を繰り返し被処理物が粉砕される。
【００１７】
出力軸の回転により容器に生じる遠心力により容器の公転半径が広がるので、接触部が磨耗しても、容器外側面と接触部との接触を保持でき、容器外側面と接触部との間の接触圧が不安定になり難い。よって、容器の回転ムラを防止できる。
【００１８】
また、容器はアームに揺動自在に吊下げられているので、従来技術のように容器の外側面と接触部との接触位置の調整が不要である。
【００１９】
出力軸の回転により容器に生じる遠心力により容器の公転半径が広がるので、接触部が多少磨耗しても、すぐに交換せずに接触部を使用し続けることができ、接触部の寿命を長くできる。
【００２０】
請求項４に記載の発明によれば、請求項３に記載の発明と同様の効果を奏すると共に、容器本体の口部をねじ込みによりホルダ内に固定するので、容器をアームに吊下げる際に、容器本体とホルダとを接続具を用いて接続する必要がなく、接続作業が容易である。
【発明を実施するための最良の形態】
【００２１】
以下に、添付図面を参照して、本発明の実施の形態を詳細に説明する。尚、図１は本発明に係る被膜形成装置の稼動状態を示す図であり、（ａ）は装置の主要部を概略的に示す断面図、（ｂ）は（ａ）の二点鎖線で示す部分Ａを抜き出して示す平面図、図２は本発明に係る被膜形成装置の稼動していない状態を示す図であり、装置の主要部を概略的に示す断面図、図３は図２に示す被膜形成装置のＢ−Ｂ断面図であり、容器本体を容器ホルダから取り外して示す図、図４は図１に示す被膜形成装置において天板を取り外して示す平面図である。
【００２２】
本発明に係る被膜形成装置１は、ボール状の基材４の表面に二酸化チタン粉末（粉末）６を被覆してチタンボールを製造するものであり、装置上方の天板２に取り付けられたモータ３と、モータ３の出力軸５と、出力軸５に交差し且つ略水平に設けられたアーム７と、アーム７に揺動自在に吊下げられた揺動軸１１と、揺動軸１１の下端に取り付けられた容器９と、円環状に設けられたナイロン材の接触部１０とを備えている。モータ３の出力軸５の下端は底板１４の軸受け１６に軸支されている。
【００２３】
アーム７は出力軸５を中心として平面視十字状に設けられており、アーム７には４つの容器９が吊下げられている。アーム７には容器９の揺動軸１１が取り付けられており、揺動軸１１に固定されたピン１２がアーム７に形成された軸孔１３に回動自在に軸支されている。
【００２４】
容器９は略円筒状の容器本体１５と、揺動軸１１に取り付けられた容器ホルダ１７とを備え、容器ホルダ１７にはベアリング１９が組み込まれており、容器９が揺動軸１１に対して回転自在になっている。容器９は真鍮、鉄、銅、ＳＵＳ、金属チタンやアルミナ、ジルコニア、セラミック等の硬質体を用いる。
【００２５】
容器本体１５の口部には雄ねじ（ねじ部）２１が形成され、容器ホルダ１７には雌ねじ（ねじ部）２３が形成されており、容器本体１５の口部を容器ホルダ１７内にねじ込むことによって容器本体１５を容器ホルダ１７に固定している。
【００２６】
容器ホルダ１７には容器本体１５の口部を塞ぐ蓋体２５がねじ２７固定されており、容器本体１５内の二酸化チタン粉末６が容器ホルダ１７側に移動するのを防止して、ベアリング１９内に二酸化チタン粉末６が進入するのを防いでいる。
【００２７】
側板４には中央が円状に切り開かれた支持板２９が固定されており、接触部１０は支持板２９の内周側端縁に沿って設けられている。
【００２８】
基材４の材料としては、ガラス、シリカ等のセラミック、鋼、銅、銀、アルミニウム等の金属及びその酸化物であるアルミナ、アルミナセラミック等の金属酸化物、エチレン、ポリプロピレン等の高分子樹脂、木質材の何れかを用いている。
【００２９】
二酸化チタン粉末６は光触媒用の二酸化チタン粉末であり、アナターゼ型、ルチル型、
ブルッカイト型の何れであっても良い。また、二酸化チタン粉末６以外に、色変性化チタンの性能を阻害しない範囲で他の粉末原料を配合しても良く、特に光照射が少ない場所でも十分使用できるようにするため、色変性酸化チタンの触媒反応を高める波長の電磁波を発生する補助粉末を含めることが好ましい。電磁波を発生する粉末としては、天然に産出される千枚岩等に見られる低線量のマイクロ波を発生する鉱物又は天然ゼオライト、緑色ゼオライト等に見られる赤外線又は遠赤外線を発生する鉱物又は天然ゼオライト等が挙げられる。
【００３０】
次に本実施の形態に係る被膜形成装置の作用及び効果を説明する。チタンボールの製造時には、まず容器本体１５内に基材４と二酸化チタン粉末６を入れ、容器本体１５を容器ホルダ１７にねじ込んで固定する。モータ３の駆動により出力軸５が回転すると、出力軸５に取り付けられたアーム７が出力軸５回りに（図４中矢印Ｃ方向に）回転する。
【００３１】
アーム７が回転するとアーム７に取り付けた容器９が遠心力によって側板４方向に広がり、容器９の外側面９ａが接触部１０に接触する。容器９が接触部１０に摩擦接触すると、容器９は矢印Ｄ方向に自転すると共に、二酸化チタン粉末６は容器９の公転運動と自転運動によって衝突及び摺擦を受ける。二酸化チタン粉末６が衝突と摺擦を受けると、二酸化チタン粉末６は色変性を起こして互いに圧着、及び基材４の表面に圧着して被膜を形成する。尚、二酸化チタン粉末６の衝突及び摺擦とは、二酸化粉末同士、粉末と基材、基材と基材、粉末と装置部材（容器壁）、基材と装置部材等の間で生じる衝突及び摺擦である。
【００３２】
出力軸５の回転により容器９に生じる遠心力により容器９の公転半径が広がるので、接触部１０が磨耗しても、容器外側面９ａと接触部１０との接触を保持でき、容器外側面９ａと接触部１０との間の接触圧が不安定になり難い。よって、容器９の回転ムラを防止できる。
【００３３】
また、容器９はアーム７に揺動自在に吊下げられているので、従来技術のように容器の外側面９ａと接触部１０との接触位置の調整が不要である。
【００３４】
出力軸５の回転により容器９に生じる遠心力により容器９の公転半径が広がるので、接触部１０が多少磨耗しても、すぐに交換せずに接触部１０を使用し続けることができ、接触部１０の寿命を長くできる。
【００３５】
容器本体１５の口部をねじ込みによりホルダ１７内に固定するので、容器９をアーム７に吊下げる際に、容器本体１５とホルダとを接続具を用いて接続する必要がなく、接続作業が容易である。接触部１０がナイロン材であるので、ゴム材に比べて耐久性に優れ、長期間の使用が可能となり経済的である。
【００３６】
次に、他の実施の形態を説明する。第２実施の形態では、容器９内の収容物のみ第１実施の形態と異なり、他の構成は第１実施の形態と同様であるので、以下の説明において、上述した第１実施の形態と同一の作用効果を奏する部分には同一の符号を付することにより、その部分の詳細な説明を省略する。第２実施の形態では、容器９内に粒状又は塊状の二酸化チタン（被処理物）とジルコニア球（粉砕部材）を収納し、容器９が公転運動と自転運動することによって容器９内の粒状又は塊状の二酸化チタンが衝突と摺擦を繰り返し二酸化チタンは粉砕されて粉状になる。
【００３７】
本実施の形態では、第１実施の形態と同様に接触部１０が磨耗しても容器９の回転ムラを防止できると共に、容器の外側面９ａと接触部１０との接触位置の調整が不要である。また、接触部１０が多少磨耗しても、すぐに交換せずに接触部１０を使用し続けることができ接触部１０の寿命を長くできる。
【００３８】
容器本体１５の口部をねじ込みによりホルダ１７内に固定するので接続作業が容易である。接触部１０がナイロン材であるので、ゴム材に比べて耐久性に優れ、長期間の使用が可能となり経済的である。
【００３９】
尚、本発明は上述した実施の形態に限定されず、その要旨を逸脱しない範囲で種々の変形が可能である。第１及び第２実施の形態では、容器９はアーム７から４つ吊下げているが、図６に示すようにアーム７から吊下げる容器９は２つであっても１０個であって良く、その数は制限されない。第１及び第２実施の形態では、モータ３はアーム７の上方に設けたが、図７に示すように、モータ３はアーム７の下方に設けてあっても良い。
【００４０】
第１実施の形態において基材４は、ボール形状に限らず、サイコロ形状、多角形状、星型形状（金平糖形状）、柱形状であっても良い。
【００４１】
第２実施の形態において、粉砕部材はジルコニア球に限らず、球状の銅や真鍮であっても良い。また、被処理物は二酸化チタンに限らず、チタン酸バリウムや酸化バリウムであっても良い。
【図面の簡単な説明】
【００４２】
【図１】本発明に係る被膜形成装置の稼動状態を示す図であり、（ａ）は装置の主要部を概略的に示す断面図、（ｂ）は（ａ）の二点鎖線で示す部分Ａを抜き出して示す平面図である。
【図２】本発明に係る被膜形成装置の稼動していない状態を示す図であり、装置の主要部を概略的に示す断面図である。
【図３】図２に示す被膜形成装置のＢ−Ｂ断面図であり、容器本体を容器ホルダから取り外した状態を示す図である。
【図４】図１に示す被膜形成装置において天板を取り外して示す平面図である。
【図５】本発明に係る被膜形成装置の全体の構成を示す断面図である。
【図６】変形例に係る被膜形成装置において天板を取り外して示す平面図である。
【図７】変形例に係る被膜形成装置の全体の構成を示す断面図である。
【符号の説明】
【００４３】
１          被膜形成装置
３          モータ
４          基材
５          出力軸
６          粉末
７          アーム
９          容器
１０        接触部
１５        揺動軸
１７        容器ホルダ
２１        雄ねじ（ねじ部）
２３        雌ねじ（ねじ部）
【図１】
2007038156.tif 000003
【図２】
2007038156.tif 000004
【図３】
2007038156.tif 000005
【図４】
2007038156.tif 000006
【図５】
2007038156.tif 000007
【図６】
2007038156.tif 000008
【図７】
2007038156.tif 000009